(57)【要約】【課題】横筋及び２本の補助筋を容易に結束することができる手段を提供する。【解決手段】クリップ２０は、１本のバネ鋼の線材からなり、横筋１５の外径に沿うように横筋１５の軸周りにＣ字形状に湾曲しており、横筋１５に掛け止めされる第１掛止部２１と、第１掛止部２１の一方端から、第１掛止部２１の湾曲外方へ向けて延びる延出部２２と、延出部２２における第１掛止部２１と反対の端から延出部２２に対して屈曲して延びており、第１掛止部２１のＣ字形状の開口３３と対向する挟持部２３と、挟持部２３における延出部２２と反対の端から、縦筋１６の外径に沿うように縦筋１６の軸周りにＣ字形状に湾曲しており、縦筋１６に掛け止めされる第２掛止部２４と、を具備する。【選択図】図９
2018012999.tif 000002
【特許請求の範囲】
【請求項１】
左右方向に延びる円柱形状の横筋と、当該横筋と交差して配置され、当該横筋に固着された円柱形状の縦筋と、を有する建築物の基礎用の配筋部材が、互いの横筋が交差して配置されており、互いの横筋に渡って配置されるＬ字形状に折り曲げられた２本の円柱形状の補助筋と当該横筋を結束するクリップであって、
上記クリップは、１本のバネ鋼の線材からなり、
上記横筋の外径に沿うように上記横筋の軸周りにＣ字形状に湾曲しており、上記横筋に掛け止めされる第１掛止部と、
上記第１掛止部の一方端から、上記第１掛止部の湾曲外方へ向けて延びる延出部と、
上記延出部における上記第１掛止部と反対の端から上記延出部に対して屈曲して延びており、上記第１掛止部のＣ字形状の開口と対向する挟持部と、
上記挟持部における上記延出部と反対の端から、上記縦筋の外径に沿うように上記縦筋の軸周りにＣ字形状に湾曲しており、上記縦筋に掛け止めされる第２掛止部と、を具備するクリップ。
【請求項２】
上記延出部と上記挟持部とが屈曲する角度のうち、上記第１掛止部の開口と対向する側の角度は、鈍角である請求項１に記載のクリップ。
【請求項３】
上記第１掛止部において上記線材が湾曲する半径は、上記第２掛止部において上記線材が湾曲する半径より大きい請求項１又は２に記載のクリップ。
【請求項４】
上記延出部と上記挟持部との間の屈曲中心と上記第１掛止部の湾曲中心との距離は、当該屈曲中心と上記第２掛止部の湾曲中心との距離より長い請求項１から３のいずれかに記載のクリップ。
【請求項５】
上記第１掛止部における上記一方端と反対の他方端から、上記第１掛止部の湾曲に対してＳ字形状に湾曲されて延びる突出部を更に具備している請求項１から４のいずれかに記載のクリップ。
【請求項６】
左右方向に延びる円柱形状の横筋と、当該横筋と交差して配置され、当該横筋に固着された円柱形状の縦筋と、を有する建築物の基礎用の配筋部材が、互いの横筋が交差して配置されており、
上記各配筋部材の互いの横筋に渡って、Ｌ字形状に折り曲げられた円柱形状の第１補助筋が当該横筋に密接して配置されており、
上記各配筋部材の互いの横筋に渡って、Ｌ字形状に折り曲げられた円柱形状の第２補助筋が上記第１補助筋に密接して配置されており、
上記各配筋部材の横筋、上記第１補助筋、及び上記第２補助筋がクリップにより結束された基礎用鉄筋ユニットであって、
上記クリップは、１本のバネ鋼の線材からなり、
上記横筋の外径に沿うように上記横筋の軸周りにＣ字形状に湾曲しており、上記横筋に掛け止めされる第１掛止部と、
上記第１掛止部の一方端から、上記第１掛止部の湾曲外方へ向けて延びる延出部と、
上記延出部における上記第１掛止部と反対の端から上記延出部に対して屈曲して延びており、上記第１掛止部のＣ字形状の開口と対向して上記第２補助筋に当接する挟持部と、
上記挟持部における上記延出部と反対の端から、上記縦筋の外径に沿うように上記縦筋の軸周りにＣ字形状に湾曲しており、上記縦筋に掛け止めされる第２掛止部と、を具備する基礎用鉄筋ユニット。
【発明の詳細な説明】
【技術分野】
【０００１】
本発明は、建築物の基礎に使用されるクリップと、当該クリップにより配筋部材と補助筋とが結束された基礎用鉄筋ユニットに関する。
【背景技術】
【０００２】
従来、建築物の基礎において、上下方向に間隔を空けて配置された２本の横筋と、横筋に直交して配置されており、横筋に溶接された複数の縦筋と、によって構成される配筋部材が使用されている。基礎の隅角部や交差部では、相互の配筋部材の横筋が直交して配置される。そして、直交して配置された２つの横筋に渡ってＬ字型の補助筋が配置され、補助筋が両方の横筋に番線によって結束される。
【０００３】
特許文献１には、ベース鉄筋枠に立上がり鉄筋枠を連結するための連結クリップが記載されている。連結クリップは、Ｕ字形状をなしており、Ｕ字状屈曲部と、湾曲部と、引掛体と、を備えている。Ｕ字状屈曲部が立上がり鉄筋枠の縦筋に上方から掛止され、Ｕ字形状の両脚それぞれの中央部に位置し上方へ湾曲する湾曲部が、縦筋と直交して縦筋の下方に配置されているベース鉄筋枠の横筋に下方から掛止される。そして、Ｕ字形状の両足それぞれの端部に位置する引掛体がそれぞれ縦筋に上方から掛止される。これにより、ベース鉄筋枠と立上がり鉄筋枠とが連結される。
【０００４】
特許文献２には、コンクリート躯体内部に配される支柱部材にメッシュ型枠材を連結するためのクリップ留め固定具が記載されている。クリップ留め固定具は、中央係止部と、嵌合用切欠部と、を備えている。クリップ留め固定具の両端に位置する嵌合用切欠部が鉄筋材に掛止され、嵌合用切欠部の間に位置する中央係止部が、鋼製メッシュ型枠材のリブ部を支持する。これにより、鉄筋材と鋼製メッシュ型枠材とが連結される。
【０００５】
特許文献３には、布基礎用鉄筋ユニットにおいてベース部と立上り部とを連結するクリップが記載されている。クリップは、立上り掛着部と、ベース掛着部と、を備えている。クリップの中央部に位置する立上り掛着部が、立上り部の第１立上り主筋に掛止され、クリップの両端に位置するベース掛着部が、ベース部のベース主筋に掛止されることにより、ベース部と立上り部とが連結される。
【先行技術文献】
【特許文献】
【０００６】
【特許文献１】特開２０００−５４４０１号公報
【特許文献２】特開２００５−１６３３２０号公報
【特許文献３】特開２００５−１７１４９４号公報
【発明の概要】
【発明が解決しようとする課題】
【０００７】
番線により横筋と補助筋とを結束するためには、作業者が、横筋と補助筋とを密接させた状態に保持しつつ、番線を締め上げることとなる。また、補助筋が２本配置される構成では、横筋及び２本の補助筋を、上下方向に並べた状態に保持する必要がある。このため、作業に熟練を要する。また、各特許文献に記載されたクリップは、横筋及び２本の補助筋に適した構造ではない。
【０００８】
本発明は、上記の事情に鑑みてなされたものであり、その目的は、横筋及び２本の補助筋を容易に結束することができる手段を提供することにある。
【課題を解決するための手段】
【０００９】
(1)  本発明に係るクリップは、左右方向に延びる円柱形状の横筋と、当該横筋と交差して配置され、当該横筋に固着された円柱形状の縦筋と、を有する建築物の基礎用の配筋部材が、互いの横筋が交差して配置されており、互いの横筋に渡って配置されるＬ字形状に折り曲げられた２本の円柱形状の補助筋と当該横筋を結束するクリップであって、上記クリップは、１本のバネ鋼の線材からなり、上記横筋の外径に沿うように上記横筋の軸周りにＣ字形状に湾曲しており、上記横筋に掛け止めされる第１掛止部と、上記第１掛止部の一方端から、上記第１掛止部の湾曲外方へ向けて延びる延出部と、上記延出部における上記第１掛止部と反対の端から上記延出部に対して屈曲して延びており、上記第１掛止部のＣ字形状の開口と対向する挟持部と、上記挟持部における上記延出部と反対の端から、上記縦筋の外径に沿うように上記縦筋の軸周りにＣ字形状に湾曲しており、上記縦筋に掛け止めされる第２掛止部と、を具備する。
【００１０】
上記構成によれば、第１掛止部が横筋に掛止され、第２掛止部が縦筋に掛止されることにより、延出部と挟持部との屈曲が狭まるようにクリップが弾性変形する。弾性変形したクリップにおいて、第２掛止部が縦筋に押圧されるので、第２掛止部が縦筋に対して摺動し難くなる。また、弾性変形によって、延出部と挟持部との屈曲が狭められ、その挟持部が２本の補助筋を横筋に並列させ、かつ横筋、一方の補助筋、他方の補助筋の順序で相互に密接した状態に支持する。
【００１１】
(2)  好ましくは、上記延出部と上記挟持部とが屈曲する角度のうち、上記第１掛止部の開口と対向する側の角度は、鈍角である。
【００１２】
上記構成によれば、クリップの弾性変形によって、延出部と挟持部との屈曲が狭められると、延出部と挟持部とがなす角度が弾性前の角度より小さくなる。延出部と挟持部とによって補助筋を挟み込みように支持できる。
【００１３】
(3)  好ましくは、上記第１掛止部において上記線材が湾曲する半径は、上記第２掛止部において上記線材が湾曲する半径より大きい。
【００１４】
上記構成によれば、第２掛止部を弾性変形させるより、第１掛止部を弾性変形させることが容易となる。したがって、第２掛止部を縦筋に掛け止めさせた後、第１掛止部を横筋に掛け止めさせることが容易である。
【００１５】
(4)  好ましくは、上記延出部と上記挟持部との間の屈曲中心と上記第１掛止部の湾曲中心との距離は、当該屈曲中心と上記第２掛止部の湾曲中心との距離より長い。
【００１６】
上記構成によれば、作業者が第２掛止部を持って、延出部と挟持部との間の屈曲が狭まるようにクリップを弾性変形させるより、第１掛止部を持って、延出部と挟持部との間の屈曲が狭まるようにクリップを弾性変形させることが容易になる。したがって、第２掛止部を縦筋に掛け止めさせた後、第１掛止部を横筋に掛け止めさせることが容易である。
【００１７】
(5)  好ましくは、上記第１掛止部における上記一方端と反対の他方端から、上記第１掛止部の湾曲に対してＳ字形状に湾曲されて延びる突出部を更に具備している。
【００１８】
上記構成によれば、作業者が突出部を持って、横筋に掛け止めされた第１掛止部が横筋から外れるように操作することが容易である。
【００１９】
(6)  本発明に係る基礎用鉄筋ユニットは、左右方向に延びる円柱形状の横筋と、当該横筋と交差して配置され、当該横筋に固着された円柱形状の縦筋と、を有する建築物の基礎用の配筋部材が、互いの横筋が交差して配置されており、上記各配筋部材の互いの横筋に渡って、Ｌ字形状に折り曲げられた円柱形状の第１補助筋が当該横筋に密接して配置されており、上記各配筋部材の互いの横筋に渡って、Ｌ字形状に折り曲げられた円柱形状の第２補助筋が上記第１補助筋に密接して配置されており、上記各配筋部材の横筋、上記第１補助筋、及び上記第２補助筋がクリップにより結束された基礎用鉄筋ユニットであって、上記クリップは、１本のバネ鋼の線材からなり、上記横筋の外径に沿うように上記横筋の軸周りにＣ字形状に湾曲しており、上記横筋に掛け止めされる第１掛止部と、上記第１掛止部の一方端から、上記第１掛止部の湾曲外方へ向けて延びる延出部と、上記延出部における上記第１掛止部と反対の端から上記延出部に対して屈曲して延びており、上記第１掛止部のＣ字形状の開口と対向して上記第２補助筋に当接する挟持部と、上記挟持部における上記延出部と反対の端から、上記縦筋の外径に沿うように上記縦筋の軸周りにＣ字形状に湾曲しており、上記縦筋に掛け止めされる第２掛止部と、を具備する。
【発明の効果】
【００２０】
本発明によれば、交差して配置された配筋部材の横筋と２本の補助筋とが容易に結束される。
【図面の簡単な説明】
【００２１】
【図１】図１は、本発明の一実施形態に係る建築物の基礎１０を示す斜視図である。
【図２】図２は、図１におけるＩＩ−ＩＩ切断面を示す断面図である。
【図３】図３は、鉄筋ユニット１３のコーナ部分を示す斜視図である。
【図４】図４は、クリップ２０の斜視図である。
【図５】図５は、クリップ２０の正面図である。
【図６】図６は、クリップ２０の側面図である。
【図７】図７は、クリップ２０の平面図である。
【図８】図８は、クリップ２０により横筋１５と補助筋１７，１８とが結束される過程を示す断面図である。
【図９】図９は、クリップ２０により横筋１５と補助筋１７，１８とが結束された状態を示す断面図である。
【図１０】図１０は、クリップ２０により横筋１５と補助筋１７，１８とが結束される過程を示す断面図であり、補助筋１７が縦筋１６から離間している場合を示す。
【図１１】図１１は、変形例に係るクリップ２０により横筋１５と補助筋１７，１８とが結束された状態を示す断面図である。
【発明を実施するための形態】
【００２２】
以下、本発明の実施形態について説明する。なお、以下に説明される実施形態は本発明の一例にすぎず、本発明の要旨を変更しない範囲で、本発明の実施形態を適宜変更できることは言うまでもない。
【００２３】
［建築物の基礎１０］
図１及び図２は、建築物（不図示）の基礎１０を示す図である。基礎１０は、建築物からの力を地盤に伝え、建築物を安全に支える機能をもつ構造である。基礎１０は、建築物の壁や柱の位置に対応した形状である。そのため、基礎１０には、隅角部１０Ａや交差部１０Ｂが生じる。
【００２４】
なお、図１から図３において、重力方向に沿った方向を上下方向４と称し、水平方向に沿った方向を前後方向５及び左右方向６と称する。上下方向４、前後方向５、及び左右方向６は相互に直交している。また、前後方向５と左右方向６とは、相対的な関係の２方向であるので、２方向のうちのいずれを前後方向５又は左右方向６と称するかは任意である。
【００２５】
図２に示されるように、基礎１０は、上下方向４及び前後方向５に沿った断面形状が逆Ｔ字形である。基礎１０の上部において、上下方向４に沿って延びる部分が立ち上がり部１０Ｃであり、下部において前後方向５又は左右方向６に沿って延びる部分がフーチング１０Ｄである。基礎１０において上下方向４の中央より下方は、地中に埋設される。すなわち、立ち上がり部１０Ｃの下部とフーチング１０Ｄは、地表面ＧＬより下方にある。基礎１０の下方には、クラッシャランや割栗石などがあるが、同図では省略されている。また、本実施形態では、基礎１０として布基礎が例示されているが、基礎１０は布基礎に限定されず、ベタ基礎など他の基礎形状であってもよいことは言うまでもない。
【００２６】
基礎１０は、クラッシャランや割栗石上に鉄筋ユニット１３（基礎用鉄筋ユニットの一例）が組み付けられ、その周囲に型枠（不図示）が配置された後、型枠内にコンクリートが充填されて固化されることによって形成される。
【００２７】
［鉄筋ユニット１３］
鉄筋ユニット１３は、メッシュバー１４（配筋部材の一例）及び補助筋１７，１８などによって構成されている。図３に示されるように、メッシュバー１４は、相互に平行に配置された棒状の２本の横筋１５と、２本の横筋１５と交差して配置され、２本の横筋１５それぞれに溶接された棒状の縦筋１６とによって構成されている。縦筋１６は、横筋１５が延びる方向に間隔を空けて複数本が配置されている。横筋１５は、例えば、直径２２ｍｍの円柱形状の鋼材である。縦筋１６は、例えば、直径１３ｍｍの円柱形状の鋼材である。各図には示されていないが、メッシュバー１４は、一定の長さの横筋１５を一単位として構成されており、基礎１０の形状に合わせて、横筋１５がほぼ同一の軸線上に連続するように継がれて組み付けられる。
【００２８】
図２に示されるように、メッシュバー１４は、基礎１０の立ち上がり部１０Ｃ及びフーチング１０Ｄにそれぞれ配置されている。立ち上がり部１０Ｃにおいては、メッシュバー１４の横筋１５の軸線が水平方向に沿っており、かつ縦筋１６の軸線が重力方向に沿っている。フーチング１０Ｄにおいては、メッシュバー１４の横筋１５及び縦筋１６の各軸線がすべて水平方向に沿っている。同図には詳細に示されていないが、立ち上がり部１０Ｃに配置されたメッシュバー１４とフーチング１０Ｄに配置されたメッシュバー１４とは、番線などによって結束されている。
【００２９】
図３に示されるように、基礎１０の交差部１０Ｂにおいては、２つのメッシュバー１４が交差して（本実施形態では直交して）配置される。そして、それぞれがＬ字状に折り曲げられた２本の棒状の補助筋１７，１８（第１補助筋、第２補助筋の一例）が、メッシュバー１４の互いの横筋１５に渡って配置される。補助筋１７，１８は、例えば、直径１６ｍｍの円柱形状の鋼材である。補助筋１７，１８の長さは、基礎１０の交差部１０Ｂにおいて要求される強度において設定される。２本の補助筋１７，１８は、クリップ２０によって各横筋１５に対して束ねられた状態で結束される。なお、同図には示されていないが、基礎１０の隅角部１０Ａにおいても、各横筋１５が互いに直交して配置された２つのメッシュバー１４に渡って補助筋１７，１８が配置されて、これらがクリップ２０により結束される。
【００３０】
［クリップ２０］
図４〜図７に示される上下方向７は、クリップ２０が鉄筋ユニット１３に組み付けられた状態、すなわち横筋１５及び補助筋１７，１８を結束した結束状態における鉄筋ユニット１３の上下方向４に合致する。また、前後方向８及び左右方向９は、結束状態における前後方向５及び左右方向６にそれぞれ合致するが、前後方向５及び左右方向６は、メッシュバー１４の配置によって変わる相対的な方向なので、これら方向のうちいずれかが前後方向８又は左右方向９に合致することとなる。
【００３１】
クリップ２０は、１本のバネ鋼の線材からなる。クリップ２０は、第１掛止部２１と、延出部２２と、挟持部２３と、第２掛止部２４と、突出部２５と、を有している。
【００３２】
第１掛止部２１は、上下方向７及び前後方向８に沿って拡がる仮想第１平面Ｐ１に沿って湾曲して延びている。第１掛止部２１は、横筋１５の外径に沿うようにして、横筋１５の軸周りに湾曲したＣ字形状である。第１掛止部２１の内周の半径Ｒ１（図６参照）は１１ｍｍである（横筋１５の半径と同等である。）。第１掛止部２１のＣ字形状における開口は上下方向７の下向きである。Ｃ字形状の第１掛止部２１がなす円弧形状の両端が、当該円弧形状の中心に対してなす湾曲角度α（図６参照）は１８０°より大きい。
【００３３】
延出部２２は、Ｃ字形状の第１掛止部２１における前後方向８の前方に位置する端３１（第１掛止部２１の一方端の一例）から仮想第１平面Ｐ１に沿って、後方へ向かう斜め下方（第１掛止部２１の湾曲外方の一例）へ直線的に延びている。
【００３４】
挟持部２３は、延出部２２における下端３２（第１掛止部２１と反対の端の一例）において仮想第１平面Ｐ１に沿って屈曲し、前後方向８の後方へ向けて直線的に延びている。延出部２２と挟持部２３との間の屈曲角度θ（図６参照）は鈍角であり、具体的には約１１０°から１２０°程度である。ここで、屈曲角度θとは、延出部２２における線材の軸線と挟持部２３における線材の軸線とがなす角度のうち、第１掛止部２１の開口３３と対向する側、すなわち図６における上側の角度である。延出部２２と挟持部２３との屈曲部分は湾曲しており、この湾曲した屈曲部分に沿った円の半径Ｒ２は８ｍｍである（補助筋１８の半径と同等である。）。
【００３５】
第２掛止部２４は、仮想第１平面Ｐ１と直交して挟持部２３を含んでおり、かつ前後方向８及び左右方向９に沿って拡がる仮想第２平面Ｐ２に沿って湾曲して延びている。第２掛止部２４は、縦筋１６の外径に沿うようにして、縦筋１６の軸周りに湾曲したＣ字形状である。第２掛止部２４は、挟持部２３の後端３４（延出部と反対の端の一例）から左右方向９の左方へ湾曲しつつ延びている。第２掛止部２４の内周の半径Ｒ３（図７参照）は６．５ｍｍである（縦筋１６の半径と同等である。）。つまり、第１掛止部２１の半径Ｒ１は、第２掛止部２４の半径Ｒ３より大きい（半径Ｒ１＞半径Ｒ３）。第２掛止部２４のＣ字形状における開口は前後方向８の前向きである。Ｃ字形状の第２掛止部２４がなす円弧形状の両端が、当該円弧形状の中心に対してなす湾曲角度β（図７参照）は約１８０°である。
【００３６】
突出部２５は、第１掛止部２１における前後方向８の後方の端３５（第１掛止部２１における他方端の一例）から、第１掛止部２１の湾曲に対してＳ字形状に湾曲して延びている。突出部２５は、仮想第１平面Ｐ１に沿った円環形状である。突出部２５は、その円環形状の内側にユーザの指（例えば人差し指）が入る程度の内径である。
【００３７】
図６，７に示されるように、第１掛止部２１の湾曲中心Ｃ１と、延出部２２と挟持部２３との間の屈曲部の屈曲中心Ｃ２との距離Ｌ１は、第２掛止部２４の湾曲中心Ｃ３と屈曲中心Ｃ２との距離Ｌ２より長い（距離Ｌ１＞距離Ｌ２）。距離Ｌ１は、横筋１５の半径、補助筋１７の直径、及び補助筋１８の半径を考慮して設定されており、具体的には、これらの合計である３５ｍｍより若干短い。距離Ｌ２は、縦筋１６の半径及び補助筋１８の半径を考慮して設定されており、具体的には、これらの合計である１４．５ｍｍと同程度である。
【００３８】
［結束方法］
以下に、図８及び図９を参照しつつ、クリップ２０によって横筋１５と補助筋１７，１８とが結束される手順が説明される。
【００３９】
図３に示されるように、基礎１０の交差部１０Ｂにおいて、２つのメッシュバー１４が、それぞれの横筋１５の軸が直交するように配置されている。図８に示されるように、ユーザは、補助筋１７を、各メッシュバー１４における上方に位置する横筋１５の下方に位置させて、横筋１５及び縦筋１６に当接させた状態に補助筋１７を保持する。補助筋１７の外径は、横筋１５の外径より小さいので、補助筋１７は、横筋１５の下方と縦筋１６とがなす隅部に収まるようにして、ユーザに保持される。
【００４０】
さらに、ユーザは、補助筋１８を、補助筋１７の下方に位置させて、補助筋１７及び縦筋１６に当接させた状態に保持する。補助筋１７，１８の外径は等しいので、補助筋１７の下端に補助筋１８の上端が当接する。この状態において、ユーザは、横筋１５及び補助筋１７，１８を一体に保持している。
【００４１】
そして、ユーザは、保持している補助筋１８の下方において、クリップ２０を第１掛止部２１が第２掛止部２４より上方に位置する姿勢として、挟持部２３を補助筋１８に当接させつつ、第２掛止部２４を縦筋１６に掛止する。これにより、縦筋１６において補助筋１８が位置する側（図８における左側）と反対側（図８における右側）の内周面に、第２掛止部２４の湾曲内側の部分が当接する。
【００４２】
続いて、ユーザは、補助筋１７に対して横筋１５が位置する向きに、すなわち上下方向４の上向きに、指などを用いて突出部２５を引っ張り上げて、第１掛止部２１が横筋１５へ近づくように第１掛止部２１を移動させる。つまり、第１掛止部２１の湾曲が拡がるように弾性変形させつつ、第１掛止部２１を横筋１５の上方へ向かって引っ張り上げる。
【００４３】
ユーザが、引っ張り上げた第１掛止部２１を縦筋１６へ向かって移動させると、延出部２２と挟持部２３との間の屈曲部の内周部分と、挟持部２３と、が補助筋１８に当接する。更に、第１掛止部２１が移動されると、延出部２２と挟持部との間の部分の屈曲角度θが小さくなるように弾性変形する。
【００４４】
他方、湾曲が拡がるように弾性変形された第１掛止部２１が、突出部２５が横筋１５の外周面を摺動しながら、突出部２５の端部３７が横筋１５を乗り越えるように移動されると、第１掛止部２１が弾性復帰して、第１掛止部２１の湾曲の内周面が横筋１５の外周面に当接し、第１掛止部２１が横筋１５に上方から掛止される。これにより、図９に示される結束状態となる。
【００４５】
［結束状態］  
図９に示されるように、クリップ２０によって横筋１５と補助筋１７，１８とが結束された結束状態において、第１掛止部２１は、補助筋１７，１８の方へ（上下方向４の下向きへ）開口３３が向いた状態で、横筋１５に掛止されている。第２掛止部２４は、補助筋１８へ向かって（前後方向５の後向きへ向かって）開口３６が向いた状態で、縦筋１６に掛止されている。挟持部２３は、第１掛止部２１の開口３３の方へ（上下方向４の上向きへ）向かって補助筋１８に当接している。延出部２２と挟持部２３との間の屈曲部は、補助筋１８の外周面に沿って当接している。
【００４６】
結束状態のクリップ２０において、延出部２２と挟持部２３との間の屈曲角度θは、クリップ２０が弾性変形していない自然状態の屈曲角度θより小さい。結束状態のクリップ２０において、横筋１５の軸を中心として、屈曲角度θが自然状態の屈曲角度θに戻るような弾性復元力が働くことによって、延出部２２及び挟持部２３が縦筋１６へ近づくように付勢される。この延出部２２及び挟持部２３によって、補助筋１８が、縦筋１６へ向かって斜め上方へ持ち上げられるように付勢され、その結果、補助筋１８が補助筋１７及び縦筋１６にそれぞれ密接し、補助筋１７が横筋１５及び縦筋１６にそれぞれ密接した状態に保持される。
【００４７】
また、延出部２２及び挟持部２３が縦筋１６へ近づくように付勢されることにより、第２掛止部２４の内周面が縦筋１６の外周面に押圧されて、第２掛止部２４が縦筋１６に対して摺動し難くなる。
【００４８】
仮に、図１０に示されるように、クリップ２０が結束状態にされる前に、ユーザにより保持された補助筋１７の軸が、横筋１５の軸より縦筋１６から遠い位置にあったとしても、クリップ２０が結束状態にされる過程において、延出部２２が補助筋１７に当接することによって、補助筋１７が縦筋１６に密接する位置へ移動されて、図９に示される結束状態となる。
【００４９】
なお、詳細な説明は省略されるが、各メッシュバー１４における下方に位置する横筋１５に沿って補助筋１７，１８が配置される態様では、前述と上下が反転された結束状態となる。すなわち、メッシュバー１４において下方に位置する横筋１５の上方に補助筋１７，１８が並列に保持されて、クリップ２０を第１掛止部２１が第２掛止部２４より下方に位置する姿勢として、前述と同様にして横筋１５、補助筋１７，１８の結束を行う。
【００５０】
［本実施形態の作用効果］
前述された本実施形態によれば、結束状態のクリップ２０により、第２掛止部２４が縦筋１６に押圧されるので、第２掛止部２４が縦筋１６に対して摺動し難くなる。また、延出部２２及び挟持部２３が補助筋１７，１８を横筋１５に並列させ、かつ横筋１５、補助筋１７、補助筋１８の順序で相互に密接した状態に保持する。
【００５１】
また、自然状態のクリップ２０において、延出部２２と挟持部２３との間の屈曲角度θが鈍角なので、結束状態のクリップ２０において屈曲角度θが小さくなると、延出部２２と挟持部２３とが補助筋１７，１８を挟み込みように支持する。
【００５２】
また、第１掛止部２１の半径Ｒ１が第２掛止部２４の半径Ｒ２より大きいので、第２掛止部２４を弾性変形させるより、第１掛止部２１を弾性変形させることが容易である。したがって、第２掛止部２４を縦筋１６に掛け止めさせた後、第１掛止部２１を横筋１５に掛け止めさせることが容易である。
【００５３】
また、延出部２２と挟持部２３との間の屈曲中心Ｃ２と第１掛止部２１の湾曲中心Ｃ１との距離Ｌ１は、当該屈曲中心Ｃ２と第２掛止部２４の湾曲中心Ｃ３との距離Ｌ２より長いので、ユーザが、第２掛止部２４を持って屈曲角度θが狭まるようにクリップ２０を弾性変形させるより、第１掛止部２１を持って屈曲角度θが狭まるようにクリップ２０を弾性変形させることが容易である。したがって、第２掛止部２４を縦筋１６に掛け止めさせた後、第１掛止部２１を横筋１５に掛け止めさせることが容易である。
【００５４】
また、クリップ２０が突出部２５を具備しているので、ユーザが突出部２５を持って、横筋１５に掛け止めされた第１掛止部２１が横筋１５から外れるように、クリップ２０を操作することが容易である。
【００５５】
［変形例］
前述された実施形態では、突出部２５は円環形状であるが、突出部２５は四角環状など円環以外の環状であってもよい。また、突出部２５は、湾曲が完全に閉じていない（すなわち環状でない）形状や、ユーザの指が内側に入らない程度に折り曲げられた形状であってもよい。
【００５６】
また、前述された実施形態では、第１掛止部２１の湾曲角度αは、１８０°より大きいが、約１８０°であってもよい。ただし、湾曲角度αが１８０°より大きければ、第１掛止部２１が横筋１５に掛止された状態から、予期せずに第１掛止部２１が横筋１５から外れることが抑制される。
【００５７】
また、前述された実施形態では、第２掛止部２４の一方の端から挟持部２３が延びているが、第２掛止部２４の両端から一対の挟持部２３がそれぞれ延びており、一対の突出部２５、第１掛止部２１、延出部２２、及び挟持部２３を有するクリップ２０が実現されてもよい。
【００５８】
また、前述された実施形態では、第１掛止部２１、延出部２２、及び挟持部２３が同一の仮想第１平面Ｐ１上に配置され、第２掛止部２４、及び挟持部２３が同一の仮想第２平面Ｐ２上に配置されているが、第１掛止部２１、延出部２２、及び挟持部２３が同一の仮想平面上に配置されていなくてもよいし、第２掛止部２４、及び挟持部２３が同一の仮想平面上に配置されていなくてもよい。具体的には、例えば、延出部２２は、第１掛止部２１の一方の端から、前後方向８の後向きであって、上下方向７の下向き、かつ左右方向９の右向きに延びていてもよい。
【００５９】
また、前述された実施形態では、延出部２２は直線的に延びているが、延出部２２は湾曲していてもよい。例えば、図１１に示されるように、延出部２２における上下方向４の中央部が、前後方向５の後ろ向きへ膨出するように湾曲していてもよい。これにより、結束状態のクリップ２０において、延出部２２の中央部が補助筋１７と当接して、補助筋１７を横筋１５及び縦筋１６に密接するように付勢することができる。
【符号の説明】
【００６０】
１３・・・鉄筋ユニット（基礎用鉄筋ユニット）
１４・・・メッシュバー（配筋部材）
１５・・・横筋
１６・・・縦筋
１７，１８・・・補助筋
２０・・・クリップ
２１・・・第１掛止部
２２・・・延出部
２３・・・挟持部
２４・・・第２掛止部
２５・・・突出部
３１・・・前方の端（一方端）
３２・・・下端（反対の端）
３３・・・開口
３４・・・後端（反対の端）
３５・・・後方の端（他方端）
【図１】
2018012999.tif 000003
【図２】
2018012999.tif 000004
【図３】
2018012999.tif 000005
【図４】
2018012999.tif 000006
【図５】
2018012999.tif 000007
【図６】
2018012999.tif 000008
【図７】
2018012999.tif 000009
【図８】
2018012999.tif 000010
【図９】
2018012999.tif 000011
【図１０】
2018012999.tif 000012
【図１１】
2018012999.tif 000013
【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
左右方向に延びる円柱形状の横筋と、当該横筋と交差して配置され、当該横筋に固着された円柱形状の縦筋と、を有する建築物の基礎用の配筋部材が、互いの横筋が交差して配置されており、互いの横筋に渡って配置されるＬ字形状に折り曲げられた２本の円柱形状の補助筋と当該横筋を結束するクリップであって、
上記クリップは、１本のバネ鋼の線材からなり、
上記横筋の外径に沿うように上記横筋の軸周りにＣ字形状に湾曲しており、上記横筋に掛け止めされる第１掛止部と、
上記第１掛止部の一方端から、上記第１掛止部の湾曲外方へ向けて延びる延出部と、
上記延出部における上記第１掛止部と反対の端から上記延出部に対して屈曲して延びており、上記第１掛止部のＣ字形状の開口と対向して上記補助筋に当接する挟持部と、
上記挟持部における上記延出部と反対の端から、上記縦筋の外径に沿うように上記縦筋の軸周りにＣ字形状に湾曲しており、上記縦筋に掛け止めされる第２掛止部と、を具備し、
Ｃ字形状の上記第１掛止部がなす円弧形状の両端が当該円弧形状の中心に対してなす湾曲角度は１８０°より大きく、
上記補助筋と上記横筋とを結束した状態において、上記延出部と上記挟持部との間の屈曲角度が上記補助筋と上記横筋とを結束していない自然状態の当該屈曲角度よりも小さくなるように弾性変形しているクリップ。
【請求項２】
上記延出部と上記挟持部とが屈曲する角度のうち、上記第１掛止部の開口と対向する側の角度は、鈍角である請求項１に記載のクリップ。
【請求項３】
上記第１掛止部において上記線材が湾曲する半径は、上記第２掛止部において上記線材が湾曲する半径より大きい請求項１又は２に記載のクリップ。
【請求項４】
上記延出部と上記挟持部との間の屈曲中心と上記第１掛止部の湾曲中心との２点間の最短距離は、当該屈曲中心と上記第２掛止部の湾曲中心との２点間の最短距離より長い請求項１から３のいずれかに記載のクリップ。
【請求項５】
上記第１掛止部における上記一方端と反対の他方端から、上記第１掛止部の湾曲に対してＳ字形状に湾曲されて延びる突出部を更に具備している請求項１から４のいずれかに記載のクリップ。
【請求項６】
左右方向に延びる円柱形状の横筋と、当該横筋と交差して配置され、当該横筋に固着された円柱形状の縦筋と、を有する建築物の基礎用の配筋部材が、互いの横筋が交差して配置されており、
上記各配筋部材の互いの横筋に渡って、Ｌ字形状に折り曲げられた円柱形状の第１補助筋が当該横筋に密接して配置されており、
上記各配筋部材の互いの横筋に渡って、Ｌ字形状に折り曲げられた円柱形状の第２補助筋が上記第１補助筋に密接して配置されており、
上記各配筋部材の横筋、上記第１補助筋、及び上記第２補助筋がクリップにより結束された基礎用鉄筋ユニットであって、
上記クリップは、１本のバネ鋼の線材からなり、
上記横筋の外径に沿うように上記横筋の軸周りにＣ字形状に湾曲しており、上記横筋に掛け止めされる第１掛止部と、
上記第１掛止部の一方端から、上記第１掛止部の湾曲外方へ向けて延びる延出部と、
上記延出部における上記第１掛止部と反対の端から上記延出部に対して屈曲して延びており、上記第１掛止部のＣ字形状の開口と対向して上記第２補助筋に当接する挟持部と、
上記挟持部における上記延出部と反対の端から、上記縦筋の外径に沿うように上記縦筋の軸周りにＣ字形状に湾曲しており、上記縦筋に掛け止めされる第２掛止部と、を具備し、
Ｃ字形状の上記第１掛止部がなす円弧形状の両端が当該円弧形状の中心に対してなす湾曲角度は１８０°より大きく、
上記補助筋と上記横筋とを結束した状態において、上記延出部と上記挟持部との間の屈曲角度が上記補助筋と上記横筋とを結束していない自然状態の当該屈曲角度よりも小さくなるように弾性変形している基礎用鉄筋ユニット。